(57)【要約】【課題】衣服や服飾品などの展示に用いられる人体モデルであって、表面を厚手の布地で覆った外観を呈して、高級な雰囲気を作り出すことができる人体モデルを提案する。【解決手段】人体を模して形成されたモデル本体（基材２０）の外表面の少なくとも一部に、植毛塗装の方法により、接着剤層３０を介して植毛パイル層５０を形成する。接着剤層３０は、ウレタン系の反応硬化型塗料などの塗料層からなる。植毛パイル層５０には、色彩の異なる複数種類が混合された植毛パイルを用いることができる。【選択図】図１
0003188211.tif 000002
【実用新案登録請求の範囲】
【請求項１】
衣服や服飾品などの展示に用いられる人体モデルであって、
人体を模して形成されたモデル本体の外表面の少なくとも一部に、接着剤層を介して植毛パイル層が形成されていることを特徴とする人体モデル。
【請求項２】
前記接着剤層が、塗料層であることを特徴とする請求項１に記載の人体モデル。
【請求項３】
前記植毛パイル層が、色彩の異なる複数種類が混合された植毛パイルからなることを特徴とする請求項１又は２に記載の人体モデル。
【請求項４】
前記複数種類の植毛パイルが、透明な植毛パイルを含んでいることを特徴とする請求項３に記載の人体モデル。
【請求項５】
部分的に色彩が異なるように、前記モデル本体に複数種類の植毛パイル層を備えることを特徴とする請求項１乃至４の何れか１項に記載の人体モデル。
【考案の詳細な説明】
【技術分野】
【０００１】
本考案は、衣服や服飾品などの展示に用いられる人体モデルに関する。等身大の全身を備えるマネキン人形に限らず、胴体部のみのトルソーや、人体の頭部、手、腕、足、脚などの部分を模した展示用モデルを含めて、人体モデルと総称することとする。
【背景技術】
【０００２】
マネキン人形などの人体モデルは、ＦＲＰなどの硬質プラスチックを素材とすることによって、軽量で丈夫なものが量産されている。そして、若い女性モデルに限らず、子供から高齢者まで幅広い年齢層の人体モデルが作られている。また、展示する商品によって、顔や手足を工夫して、静かな雰囲気を感じさせる人形や、遊びや活発な動きをリアルに感じさせる人形など、多少の使い分けが行われている。
【０００３】
しかしながら、これらの人体モデルの表面は、肌色、白色、黒色、まれに光沢のある色などであって、基本的には塗料による塗装が一般的である。このため現状では、人体モデルに大きな特徴を持たせることが困難となっている。展示される商品をもっと引き立てることができる人体モデルはないものか、展示される商品とともに売り場に高級な雰囲気を醸し出すような人体モデルはないものか、その出現が望まれている。
【０００４】
例えば、表面の塗装に代えて、表面を布地で覆ったものとすれば、雰囲気を大きく変えることができると考えられる。特許文献１には布地を用いた一例が記載されている。すなわち、ここに記載されたマネキン人形は、アルミニウム合金などの軽量合金によって構成される骨格部に、これを包むように発砲ウレタン層を設けて人体の筋肉部を形成し、外表面には混紡生地などによって表皮部が形成されている。発泡ウレタンは弾力性を備えるために、織物を縫い付けるにしても、貼り付けるにしても、比較的容易に表面に密着させることができる。
【０００５】
しかしながら、ＦＲＰなどの硬質プラスチックを素材とする場合には、織物を縫い付けるにしても貼り付けるにしても、弛みを生じて不自然な感じになりやすく、自然な感じに仕上げるためには熟練した技術を必要とする。特に、厚手の生地を使用するほどぴったりとさせることが難しく、厚手の生地を用いて高級感のある人体モデルを製作することは、あまり行なわれていない。
【先行技術文献】
【特許文献】
【０００６】
【特許文献１】実用新案登録第３１２３１０２号公報
【考案の概要】
【考案が解決しようとする課題】
【０００７】
本考案の目的は、衣服や服飾品などの展示に用いられる人体モデルにおいて、その表面を厚手の布地でぴったりと覆った外観を呈する人体モデルを提供することにある。また、布地特有の暖かみと高級感を備えることによって、商品とともに高級感のある落ち着いた雰囲気を作り出すことができる人体モデルを提供することにある。さらに、高級感のある人体モデルを安価に提供することにある。
【課題を解決するための手段】
【０００８】
本考案の請求項１に係る人体モデルは、衣服や服飾品などの展示に用いられる人体モデルであって、人体を模して形成されたモデル本体の外表面の少なくとも一部に、接着剤層を介して植毛パイル層が形成されている手段を採用している。
また、本考案の請求項２に係る人体モデルは、請求項１に記載の人体モデルであって、前記接着剤層が、塗料層である手段を採用している。
【０００９】
また、本考案の請求項３に係る人体モデルは、請求項１又は２に記載の人体モデルであって、前記植毛パイル層が、色彩の異なる複数種類が混合された植毛パイルからなる手段を採用している。
また、本考案の請求項４に係る人体モデルは、請求項３に記載の人体モデルであって、前記複数種類の植毛パイルが、透明な植毛パイルを含んでいる手段を採用している。
また、本考案の請求項５に係る人体モデルは、請求項１乃至４の何れか１項に記載の人体モデルであって、部分的に色彩が異なるように、前記モデル本体に複数種類の植毛パイル層を備える手段を採用している。
【考案の効果】
【００１０】
本考案の人体モデルは、その外表面に形成する植毛パイル層が、厚手の布地と同様の外観を呈することができる。そして、モデル本体がＦＲＰのような硬質プラスチックで形成されている場合でも、外表面を厚手の布地でぴったりと覆った外観とすることができる。植毛パイル層は、様々な色彩で構成することができるので、新しい雰囲気を提供することができる。形成する植毛パイル層は、ビロード状をなすので暖かみがあり、高級な商品を展示するのに適した人体モデルとすることができる。
【図面の簡単な説明】
【００１１】
【図１】本考案の人体モデルの外表面構造を模式的に示す断面図である。
【図２】本考案の人体モデルの一例を示す概略図であって、全身を備えるモデル本体の一部に植毛パイル層を形成した例を示し、（ａ）は男性モデル、（ｂ）は女性モデルである。
【図３】本考案の他の一例を示す人体モデルの概略図であって、女性トルソーの全体に植毛パイル層を形成した例を示す。
【図４】本考案の別の一例を示す人体モデルの概略図であって、（ａ）及び（ｂ）は手のモデルであり、（ｃ）は足のモデルである。
【考案を実施するための形態】
【００１２】
本考案の人体モデルは、衣服や服飾品などの展示に用いられる人体モデルであって、等身大の全身を備えるマネキン人形や、胴体部のみからなるトルソーは勿論のこと、人体の頭部、手、腕、足、脚などの部分を模した展示用モデルを含めて「人体モデル」と総称している。
【００１３】
本考案の人体モデル１０は、図１に示すように、人体を模して形成されたモデル本体を構成する基材２０の外表面に、接着剤層３０を介して植毛パイル層５０が形成されていることを特徴としている。
【００１４】
モデル本体を構成する基材２０は、ＦＲＰなどの硬質プラスチックを素材とすることにより、軽量で丈夫なものを量産することができるので好ましい。しかし、これに限らず、特許文献１に記載されているように、モデル本体に発泡ウレタンなどを使用することもできる。また、焼却するときに排出する二酸化炭素を削減するために、バイオマスプラスチックなどを使用することもできる。
【００１５】
基材２０の外表面に、接着剤を塗布して接着剤層３０を形成した後、植毛パイルを塗布することにより植毛パイル層５０を形成することができる。この方法は、植毛塗装（又は静電塗装）と呼ばれる方法であり、粉末状の短繊維である植毛パイルを、静電気によって接着剤層３０に塗布する方法である。基材２０が、極性のないポリプロピレンなどである場合には、接着性を改善するためにプライマーを塗布した後に接着剤を塗布することもある。また、必要により脱脂処理を行うこともある。
【００１６】
接着剤としては、ポットライフが３〜５時間程度であって、１００℃以下の温度で速やかに乾燥できるものが好ましく、例えば、ウレタン系の反応硬化型塗料を用いることができる。下地となる接着剤層３０を植毛パイル層５０と同系色の塗料層とすることにより、美しいビロード状の外観を呈することができる。接着剤層３０の膜厚は、１００μｍ以下であり、３０〜４０μｍとすることが好ましい。
【００１７】
植毛パイルとしては、天然繊維でも合成繊維でも用いることができる。モデル本体の素材をＦＲＰとし、植毛パイルをポリアミド樹脂繊維（ナイロン６６）として構成すると、難燃性に優れた人体モデルとすることができる。美しいビロード状の外観を呈するためには、植毛パイルの線径は、０．８〜３．３デシテックス程度とすることが好ましく、その長さは、０．４〜１．０ｍｍ程度とすることが好ましい。そして、塗布する植毛パイルの量としては、１００〜２００ｇ／ｍ２とすることが好ましい。
【００１８】
着色された植毛パイルを使用することにより、彩色された植毛パイル層５０を形成することができる。また、色彩の異なる複数種類の植毛パイルを混合して用いることにより、様々な色合いの植毛パイル層５０を形成することができる。そして、ダークなビロード状とすることにより落ち着いた高級感が得られ、明るい鮮やかなビロード状とすることにより斬新なファッションを演出することができる。また、彩色された植毛パイル中に、透明な植毛パイルを少量混合して塗布することにより、光沢のある外観とすることができる。このとき、接着剤中にアルミナなどの金属粉末を添加することにより、一層美しい光沢をもたらすことができる。
【００１９】
本考案の人体モデルについて、具体例を図で説明する。
図２は、全身を備えるマネキン人形の一部に、植毛パイル層５０を形成した例であり、（ａ）は紳士マネキンであり（ｂ）は婦人マネキンである。ともに、胸郭部、頸部、及び頭部の外表面に植毛パイル層５０が形成されている。植毛パイル層５０は、部分的に色彩が異なるようにすることも可能であり、例えば、胸郭部及び頸部の植毛パイル層５０と、頭部の植毛パイル層５０とを、異なる種類の植毛パイル層５０で形成することができる。植毛パイル層５０は、美しいビロード状の外観を呈するので、ここにアクセサリーを添えて衣装を纏わせると、高級感が溢れる展示を行うことができる。なお、植毛パイル層５０を形成しない部分については、従来と同様の塗装などによって仕上げる。
【００２０】
図３は、婦人トルソーであって、人体モデル全体１０に植毛パイル層５０を設けて、美しいビロード状としたものである。この人体モデル１０は、高級な衣服や装飾品を展示することにより、商品とともに高級な雰囲気を作り出し、ドレスアップした女性を演出することができる。そして、売り場全体の雰囲気までも変えることができる。
【００２１】
図４は、手足の部分的な人体モデルの例であって、全体に植毛パイル層５０を設けて、美しいビロード状としたものである。これらは、手袋や靴下などの展示やアクセサリーの展示に用いることもできるが、これらの人体モデル１０自体を、高級感溢れるオブジェとして展示することもできる。
【００２２】
本考案の人体モデル１０は、人体を模して形成されたモデル本体の外表面に植毛塗装を施して、植毛パイル層５０を形成したものである。上記のように、本考案の人体モデル１０には、様々なバリエーションが考えられ、デザインの幅を広げて市場を拡大していくことが期待される。さらに、本考案の人体モデル１０は、中古のモデル本体に植毛塗装を施して製作することが可能であり、古くなったモデル本体から高級感溢れる人体モデル１０に変身させて、資源の活用を図ることも期待できる。
【符号の説明】
【００２３】
１０：  人体モデル
２０：  基材
３０：  接着剤層
５０：  植毛パイル層
【図１】
0003188211.tif 000003
【図２】
0003188211.tif 000004
【図３】
0003188211.tif 000005
【図４】
0003188211.tif 000006